(57)【要約】【課題】二本の手すり部材を接続するに当って、それぞれの端部を保持する雄・雌両部材１，２のうち、雄部材１を構成する内・外両部材１ｂ，１ａのいずれか一方を他方の部材に対し回すだけで、極めて安定した状態のもとで両部材１ｂ，１ａを軸線方向に相対的に進退可能ならしめ得るようにする。また、接続された手すり部材ｄ，ｄ、特に、手すり端部に力が掛っても、結合された内・外両部材１ｂ，１ａがいずれもガタ付くことがなく、手すりとしての安定性を備えたものとする。【解決手段】外部材１ａの中心軸線上でない基端部内周面に、雌ねじ１１を形成する。また、内部材１ｂの一部である円板１３の中心軸線上でない外周面に、前記雌ねじ１１に螺合させ得る雄ねじ１２を形成する。外部材１ａに形成されている雌ねじ１１に、内部材１ｂの雄ねじ１２を螺合させる。内部材１ｂと外部材１ａの結合位置は中心軸線上ではなく、両者の外周面付近である接触面積の極めて大きい位置で結合される。【選択図】  図２
2004244797.tif 000002
【特許請求の範囲】
【請求項１】
球面状の凸部１０を有する雄部材１と、前記雄部材１の凸部１０を抱持し得る断面真円形の開口保持部２１を有する雌部材２とからなり、前記雄・雌両部材１，２の基部に手すり部材ｄの端部を保持させ得るようにするとともに、前記雄部材１を、球面状の凸部１０を有する外部材１ａと、前記手すり部材ｄの端面を当接して固定させ得る内部材１ｂとで構成し、内・外両部材１ｂ，１ａのいずれか一方を他方の部材に対して回すだけで、両部材１ｂ，１ａを軸線方向に相対的に進退可能ならしめる形式の手すり部材接続具において、外部材１ａの中心軸線上でない基端部内周面に雌ねじ１１を、内部材１ｂの一部である円板１３の中心軸線上でない外周面に、前記雌ねじ１１に螺合させ得る雄ねじ１２を形成したことを特徴とする手すり部材接続具。
【請求項２】
内部材１ｂの一部である円板１３に、手すり部材ｄの端部を嵌入してその部分を抱持する凹部１３ａを形成したことを特徴とする請求項１記載の手すり部材接続具。
【請求項３】
内部材１ｂの一部である円板１３の端面に、手すり部材ｄの端面に食い込む突起１６を形成したことを特徴とする請求項１記載の手すり部材接続具。
【発明の詳細な説明】
【０００１】
【発明の属する技術分野】
本発明は、階段や廊下などの通路に配置する手すり部材同士を接続して連続した手すりとするための部品の改良に関するものである。
【０００２】
【従来の技術】
階段や廊下などの通路に配置する手すり部材同士を接続する場合に用いる接続具として、本出願人は、先に、球面状の凸部を有する雄部材と、前記雄部材の凸部を抱持し得る断面真円形の開口保持部を有する雌部材とからなり、前記雄・雌両部材の基部に手すり部材の端部を嵌入し得る孔を設けたものを出願し、権利を取得した（特許文献１参照）。
【０００３】
【特許文献１】
実用新案登録第３０７０７５０号公報（第２頁、図１、図２）。
【０００４】
この接続具は、雄・雌両部材の基部に形成した孔に、接続すべき二本の手すり部材の対向端部をそれぞれ嵌入し、雄・雌両部材の側面に形成した孔からネジをねじ込んで雄・雌両部材と接続すべき二本の手すり部材の対向端部とを保持・固定する。そして、雌部材の断面真円形の開口保持部に雄部材の球面状の凸部を係入するとともに、ブラケットを用いて接続すべき二本の手すり部材を設置すべき所に固定すると、雌部材の開口保持部で雄部材の凸部が抱持され、両者のこの結合によって隣接する二本の手すり部材を接続することができる。
【０００５】
この場合において、雄部材の凸部は球面状であり、雌部材の開口保持部は断面真円形であるから、雄・雌両部材は雄部材の凸部の球面の範囲内で相互に首振り自在である。従って、雄・雌両部材の結合角度を自由に変更することができ、接続された手すり部材の折曲角度を階段の傾き具合や通路のコーナー角度に対応させることができるという利点を有している。
【０００６】
上述した接続具はこのように極めて便利なものであるが、それにさらに改良を加えて、雌部材に抱持されている雄部材を雌部材に対し進退可能ならしめ、雌部材側の手すり部材は取り付けたままで、雄部材側の手すり部材を雄部材とともに取り外したり、雄部材側の手すり部材を雄部材とともに後から取り付けることができるようにしたものも開発されている（例えば、特許文献２あるいは特許文献３参照）。
【０００７】
【特許文献２】
特開２００２−６１３５９号公報（第３頁、図３、図４、図５）。
【特許文献３】
特開２００２−８８９９９号公報（第３頁、第４頁、図３〜図５、図６〜図７）。
【０００８】
これらの接続具は、いずれも雄部材が手すり部材の端部を固定させ得る内部材と凸部を有する外部材とからなっており、内・外両部材のそれぞれの中心軸線上に雄ねじと雌ねじとを形成し、これらを雄・雌結合させるか、内・外両部材のそれぞれの中心軸線上にコイル状のバネを配置し、このバネを内・外両部材で押圧するか、あるいは、内・外両部材のそれぞれの中心軸線上に調整用の溝と凸部を形成し、調整用の溝のいずれかに凸部を嵌入させる形式のものである。そして、内・外両部材の中心軸線上に位置している雄・雌両ねじやコイル状のバネ、あるいは、調整用の溝とこの溝に嵌入させ得る凸部とにより、内・外両部材のいずれか一方を他方の部材に対して回すだけで、両部材を軸線方向に対して相対的に進退可能ならしめることができる。
このように、内・外両部材を軸線方向に対して相対的に進退可能ならしめることにより、上述したように、雌部材側の手すり部材は取り付けたままで、雄部材側の手すり部材を雄部材とともに取り外したり、雄部材側の手すり部材を雄部材とともに後から取り付けることができる。
【０００９】
【発明が解決しようとする課題】
しかしながら、内・外両部材の中心軸線上に雄・雌両ねじやコイル状のバネ、あるいは、調整用の溝とこの溝に嵌入させ得る凸部とが位置する場合には、手すり部材、特に、手すりの端部に力が掛ると、結合された内・外両部材がいずれもガタ付いて手すりとしての安定性に欠けるという欠点がある。
通常、手すりには力が掛る場合が多いから、以前からその安定性が、特に、接続された付近での安定性が強く求められている。そして、高齢者ほど手すりを強く握って歩行するから、高齢者が使用する場合ほど設置されている手すりの安定性が強く求められる。
本発明は、このような要望に応え得る手すり部材接続具を提供することを目的とするものである。
【００１０】
【課題を解決するための手段】
上記目的は、以下の手段によって達成することができる。すなわち、球面状の凸部１０を有する雄部材１と、前記雄部材１の凸部１０を抱持し得る断面真円形の開口保持部２１を有する雌部材２とからなり、前記雄・雌両部材１，２の基部に手すり部材ｄの端部を保持させ得るようにするとともに、前記雄部材１を、球面状の凸部１０を有する外部材１ａと、前記手すり部材ｄの端面を当接して固定させ得る内部材１ｂとで構成し、内・外両部材１ｂ，１ａのいずれか一方を他方の部材に対して回すだけで、両部材１ｂ，１ａを軸線方向に相対的に進退可能ならしめる形式の手すり部材接続具において、外部材１ａの中心軸線上でない基端部内周面に雌ねじ１１を、内部材１ｂの一部である円板の中心軸線上でない外周面に、前記雌ねじ１１に螺合させ得る雄ねじ１２を形成することによって達成することができる。
【００１１】
内部材１ｂと外部材１ａとは、内部材１ｂの一部である円板の中心軸線上でない外周面に形成されている雄ねじ１２と、外部材１ａの中心軸線上でない基端部内周面に形成されている雌ねじ１１との雄・雌結合により、結合されている。すなわち、内部材１ｂと外部材１ａの結合位置は、従来の場合のように中心軸線上でなく、両者の外周面付近である接触面積の極めて大きい位置で結合されている。
従って、雌部材２側の手すり部材ｄは取り付けたままで雄部材１側の手すり部材ｄを雄部材１とともに取り外したり、逆に、雄部材１側の手すり部材ｄを雄部材１とともに後から取り付けるに当って、内・外両部材１ｂ，１ａのいずれか一方を他方の部材に対し回すだけで、極めて安定した状態のもとで両部材１ｂ，１ａを軸線方向に相対的に進退可能ならしめることができる。また、手すり部材ｄ、特に、手すり端部に力が掛っても、結合された内・外両部材１ｂ，１ａがいずれもガタ付くことがなく、手すりとしての安定性も十分である。
【００１２】
なお、雌部材２側の手すり部材ｄは取り付けたままで、雄部材１側の手すり部材ｄを雄部材１とともに取り外したり、雄部材１側の手すり部材ｄを雄部材１とともに後から取り付ける作業を容易に行うことができることは、従来の場合と同じである。
例えば、図７あるいは図９の状態から雄部材１の一部品である外部材１ａを、図８あるいは図１０に示すように、手すり部材ｄが固定されている内部材１ｂ側に移動させると、雌部材２の開口保持部２１とこれに抱持されていた雄部材１の凸部１０との結合が解ける。従って、雌部材２側の手すり部材ｄは取り付けたままで、雄部材１側の手すり部材ｄを雄部材１とともに取り外すことができる。逆に、手すり部材ｄが固定されている内部材１ｂに対して、図８あるいは図１０の状態から外部材１ａを先程とは逆方向に移動させると、図７あるいは図９に示すように、雌部材２の開口保持部２１で雄部材１の凸部１０が抱持されるに至る。従って、雌部材２側の手すり部材ｄは取り付けたままで、雄部材１側の手すり部材ｄを雄部材１とともに後から取り付けることができる。
【００１３】
内部材１ｂの一部である円板１３に、手すり部材ｄの端部を嵌入してその部分を抱持する凹部１３ａを形成しておくとよい。
内部材１ｂの一部である円板１３に凹部１３ａが形成されていると、手すり端部がこの凹部１３ａで強く保持されるから、手すりとしての安定性が増す。
【００１４】
内部材１ｂの端面に、手すり部材ｄの端面に食い込む突起１６を形成しておくのが望ましい。
内部材１ｂの端面に突起１６が形成されていると、この突起１６が内部材１ｂの端面に当接・固定すべき手すり部材ｄに食い込み、内部材１ｂに対して手すり部材ｄがみだりに回るのを防止できる。
【００１５】
【発明の実施の形態】
本発明の好ましい実施の形態を、図１〜図１１に基いて詳細に説明する。
本接続具は、図１〜図１１に示すように、球面状の凸部１０を有する雄部材１と、この雄部材１の凸部１０を抱持し得る断面真円形の開口保持部２１を有する雌部材２とからなっている。雄部材１の基部は手すり部材ｄを嵌入させ得るようになっている。また、雌部材２の基部も手すり部材ｄの端部を嵌入させ得るように孔２２が形成されている。
【００１６】
そして、この雄部材１の基部に嵌入した手すり部材ｄに対して雄部材１を軸線方向に安定よく進退可能ならしめ得るようにする。そのために、ここでは前記雄部材１を、球面状の凸部１０を有する外部材１ａと、前記手すり部材ｄの端面を当接して固定させ得る内部材１ｂとで構成し、外部材１ａの中心軸線上でない基端部内周面に雌ねじ１１を、内部材１ｂの一部である円板１３の中心軸線上でない外周面に、前記雌ねじ１１に螺合させ得る雄ねじ１２を形成してある。
なお、外部材１ａの基端部内周面に形成されている雌ねじ１１部分が、手すり部材ｄを嵌入する孔１５を兼ねている。
【００１７】
内部材１ｂと外部材１ａとは、図２、図４、図６、図７、図９、図１０に示すように、内部材１ｂの一部である円板１３の中心軸線上でない外周面に形成されている雄ねじ１２と、外部材１ａの中心軸線上でない基端部内周面に形成されている雌ねじ１１との雄・雌結合によって結合される。すなわち、内部材１ｂと外部材１ａの結合位置は、従来の場合のように中心軸線上でなく、両者の外周面付近である接触面積の極めて大きい位置で結合される。そして、外部材１ａに結合された内部材１ｂの円板１３の端面に手すり部材ｄの端面を当接し、その反対側から固定ネジ１４をねじ込んで両者を固定する。すると、雄部材１の基部に手すり部材ｄを嵌入させることができる。
【００１８】
なお、図１〜図４に示す場合には、固定ネジ１４をねじ込むことができるように、内部材１ｂの円板１３の中心位置には、固定ネジ挿通用の孔を有する筒体１４ａが形成されている。この筒体１４ａは図１、図２と図３、図４とを対比すると分かるように、その長さを異ならしめてあり、ここに挿通される固定ネジ１４も筒体１４ａの長さに応じたものを用いるのが好ましい。
【００１９】
また、図５、図６に示す場合には、内部材１ｂの円板１３の中心位置に固定ネジ挿通用の孔を有する筒体１４ａを形成しないで、内部材１ｂの円板１３の中心軸線上に２つの固定ネジ挿通用の孔１４ｂ，１４ｂが直接形成されている。２つの固定ネジ挿通用の孔１４ｂ，１４ｂに固定ネジ１４，１４をそれぞれねじ込むことにより、手すり部材ｄを強固に、しかも、手すり部材ｄが雄部材１の内部材１ｂに対して回らないように固定することができる。
【００２０】
一方、上述したように、雌部材２の基部には孔２２が形成されており、この孔２２に接続すべきもう一本の手すり部材ｄの端部を嵌入し、固定ネジ挿通用の孔２３から固定ネジ２４をねじ込んで両者を固定する。
かくして、接続すべき二本の手すり部材ｄ，ｄの対向端部が雄・雌両部材１，２の基部にそれぞれ嵌入される。そして、図２、図４、図６、図７、図９に示すように、雌部材２の断面真円形の開口保持部２１に雄部材１の球面状の凸部１０を係入するとともに、図１１に示すように、ブラケットｅを用いて接続すべき二本の手すり部材ｄ，ｄを設置すべき所に固定すると、雌部材２の開口保持部２１で雄部材１の凸部１０が抱持され、両者のこの結合によって隣接する二本の手すり部材ｄ，ｄを接続することができる。
【００２１】
図７あるいは図９の状態から雄部材１の一部品である外部材１ａを、図８あるいは図１０に示すように、手すり部材ｄが固定されている内部材１ｂ側に移動させると、雌部材２の開口保持部２１とこれに抱持されていた雄部材１の凸部１０との結合が解ける。従って、雌部材２側の手すり部材ｄは取り付けたままで、雄部材１側の手すり部材ｄを雄部材１とともに取り外すことができる。逆に、手すり部材ｄが固定されている内部材１ｂに対して、図８あるいは図１０の状態から外部材１ａを先程とは逆方向に移動させると、図７あるいは図９に示すように、雌部材２の開口保持部２１で雄部材１の凸部１０が抱持されるに至る。従って、雌部材２側の手すり部材ｄは取り付けたままで、雄部材１側の手すり部材ｄを雄部材１とともに後から取り付けることができる。
【００２２】
隣接する二本の手すり部材ｄ，ｄを接続した場合において、雌部材２の開口保持部２１で抱持されている雄部材１の内部材１ｂと外部材１ａの結合位置は、従来の場合のように中心軸線上でなく、両者の外周面付近である接触面積の極めて大きい位置で結合されている。
従って、内・外両部材１ｂ，１ａのいずれか一方を他方の部材に対し回すだけで、極めて安定した状態のもとで両部材１ｂ，１ａを軸線方向に相対的に進退可能ならしめることができる。また、手すり部材ｄ、特に、手すり端部に力が掛っても、結合された内・外両部材１ｂ，１ａがいずれもガタ付くことがなく、手すりとしての安定性も十分である。
【００２３】
また、雄部材１の外部材１ａに形成されている凸部１０は球面状であり、雌部材２の開口保持部２１は断面真円形であるから、雄・雌両部材１，２は外部材１ａの凸部１０の球面の範囲内で相互に首振り自在である（図７及び図９の（ａ）、（ｂ）、（ｃ）参照）。
従って、雄・雌両部材１，２の結合角度を自由に変更することができ、接続された手すり部材ｄ，ｄの折曲角度を階段の傾き具合や通路のコーナー角度に対応させることができる。なお、図７（ａ）と図９（ａ）は、接続された手すり部材ｄ，ｄの折曲角度が３０度の場合を、図７（ｂ）と図９（ｂ）は、接続された手すり部材ｄ，ｄの折曲角度が６０度の場合を、図７（ｃ）と図９（ｃ）は、接続された手すり部材ｄ，ｄの折曲角度が９０度の場合を示している。そして、それぞれの場合において、雄部材１の一部品である外部材１ａを、手すり部材ｄが固定されている内部材１ｂ側に移動させ、雌部材２の開口保持部２１とこれに抱持されていた雄部材１の凸部１０との結合を解いた状態を、図８（ａ）、（ｂ）、（ｃ）と図１０（ａ）、（ｂ）、（ｃ）に示す。
【００２４】
図１〜図４に示す接続具においては、内部材１ｂの端面に、手すり部材ｄの端面に食い込む突起１６が同じ間隔を置いて３つ形成されている。
内部材１ｂの端面に突起１６，１６が形成されていると、各突起１６，１６が内部材１ｂの端面に当接・固定すべき手すり部材ｄに食い込み、内部材１ｂに対して手すり部材ｄがみだりに回るのを防止できる。従って、手すり部材ｂの取り付け作業をきわめて簡単に行うことができる。
【００２５】
図５、図６、図９、図１０に示す接続具にあっては、図１〜図４における突起１６が内部材１ｂの端面に形成されていなくても、内部材１ｂに対して手すり部材ｄがみだりに回るのを防止できる。なぜならば、内部材１ｂの円板１３の中心軸線上に２つの固定ネジ挿通用の孔１４ｂ，１４ｂが形成されており、両固定ネジ挿通用の孔１４ｂ，１４ｂに固定ネジ１４，１４をそれぞれねじ込むことで、内部材１ｂに対して手すり部材ｄが回らないようにすることができるからである。そして、この場合には、手すり部材ｄを内部材１ｂに強固に固定することができる。
また、この場合には、２本の固定ネジ１４，１４を用いて手すり部材ｄを内部材１ｂに固定するから、固定ネジ１４を余り長くしなくても手すり部材ｄを強固に固定できるのみならず、雌部材２の基部に手すり部材ｄを固定するための固定ネジ２４とこの固定ネジ１４とを共用することができるので、極めて有利である。
【００２６】
さらに、図５、図６、図９、図１０に示す接続具においては、図６において拡大して示すように、内部材１ｂに固定されている手すり部材ｄの外周面が内部材１ｂを結合させてある外部材１ａの雌ねじ１１に当らないように、それぞれの寸法に工夫を凝らしてあり、しかも、内部材１ｂには雄ねじ１２が形成されている外周面より小さい凹部１３ａが形成してあって、そこに手すり部材ｄの端部を嵌入してその部分が抱持されるようにしてある。このようにすると、手すり端部が内部材１ｂの凹部１３ａで強く保持されるから、手すりとしての安定性が増す。
【００２７】
なお、本接続具においては、雄部材１の一部品である外部材１ａの凸部１０側において、その中心軸線上に孔１７が形成されており、そこから固定ネジ１４を差し込んで内部材１ｂの端面に当接させてある手すり部材ｄに固定ネジ１４をねじ込むことができるようにしてある。その際、固定ネジ１４は孔１７の奥に位置する内部材１ｂの筒体１４ａを経て内部材１ｂの端面に当接させてある手すり部材ｄにねじ込まれる。
【００２８】
【発明の効果】
請求項１記載の発明によれば、雌部材２側の手すり部材ｄは取り付けたままで雄部材１側の手すり部材ｄを雄部材１とともに取り外したり、逆に、雄部材１側の手すり部材ｄを雄部材１とともに後から取り付けるに当って、内・外両部材１ｂ，１ａのいずれか一方を他方の部材に対し回すだけで、極めて安定した状態のもとで両部材１ｂ，１ａを軸線方向に相対的に進退可能ならしめることができる。また、手すり部材ｄ、特に、手すり端部に力が掛っても、結合された内・外両部材１ｂ，１ａがいずれもガタ付くことがなく、手すりとしての安定性も十分である。
【００２９】
請求項２記載の発明によれば、手すり端部が内部材１ｂの凹部１３ａで強く保持され、手すりとしての安定性が増す。
【００３０】
請求項３記載の発明によれば、内部材１ｂに対して手すり部材ｄがみだりに回るのを防止できるから、手すり部材ｄの取り付け作業をきわめて簡単に行うことができる。
【図面の簡単な説明】
【図１】本接続具の一例を示す断面図で、分離した状態で示す。
【図２】図１に示す接続具の雄部材と雌部材とを結合させた状態を示す断面図である。
【図３】図１に示す接続具とは異なる接続具であって、固定ネジ挿通用の筒体の長さを異ならしめた別の接続具の一例を示す断面図で、分離した状態で示す。
【図４】図３に示す接続具の雄部材と雌部材とを結合させた状態を示す断面図である。
【図５】図１、図３に示す接続具とは異なる接続具であって、固定ネジ挿通用の筒体を備えていない別の接続具の一例を示す断面図で、分離した状態で示す。
【図６】図５に示す接続具の雄部材と雌部材とを結合させた状態を示す断面図である。
【図７】図１に示す接続具において、雄・雌両部材の結合角度、すなわち、接続された二本の手すり部材の折曲角度を異ならしめた状態を示す断面図で、（ａ）は結合角度（折曲角度）が３０度の場合を、（ｂ）は結合角度（折曲角度）が６０度の場合を、（ｃ）は結合角度（折曲角度）が９０度の場合を示す。
【図８】図７（ａ）、（ｂ）、（ｃ）の状態から、雄部材１の一部品である外部材１ａを、手すり部材ｄが固定されている内部材１ｂ側に移動させ、雌部材２の開口保持部２１とこれに抱持されていた雄部材１の凸部１０との結合を解いた状態を（ａ）、（ｂ）、（ｃ）で示す。
【図９】図５に示す接続具において、雄・雌両部材の結合角度、すなわち、接続された二本の手すり部材の折曲角度を異ならしめた状態を示す断面図で、（ａ）は結合角度（折曲角度）が３０度の場合を、（ｂ）は結合角度（折曲角度）が６０度の場合を、（ｃ）は結合角度（折曲角度）が９０度の場合を示す。
【図１０】図９（ａ）、（ｂ）、（ｃ）の状態から、雄部材１の一部品である外部材１ａを、手すり部材ｄが固定されている内部材１ｂ側に移動させ、雌部材２の開口保持部２１とこれに抱持されていた雄部材１の凸部１０との結合を解いた状態を（ａ）、（ｂ）、（ｃ）で示す。
【図１１】本接続具の使用状態の一例を示す斜視図である。
【符号の説明】
１…雄部材、１ａ…外部材、１ｂ…内部材、１０…凸部、１１…雌ねじ、１２…雄ねじ、１３…円板、１３ａ…凹部、１４ｂ…孔、１５…孔、１６…突起、２…雌部材、２１…開口保持部、２２…孔、ｄ…手すり。
【図１】
2004244797.tif 000003
【図２】
2004244797.tif 000004
【図３】
2004244797.tif 000005
【図４】
2004244797.tif 000006
【図５】
2004244797.tif 000007
【図６】
2004244797.tif 000008
【図７】
2004244797.tif 000009
【図８】
2004244797.tif 000010
【図９】
2004244797.tif 000011
【図１０】
2004244797.tif 000012
【図１１】
2004244797.tif 000013